(57)【要約】【目的】  安全性が高く、スペースの面も問題ないように改良する。【構成】  室内の天井に取り付けられた照明用ダクトレール１００に装着可能であって、ハウジング１内に設けられたモータである回転駆動部２と、ハウジング１の下面に垂下して配置され且つ下端部に物干しハンガー１０を引っ掛けるためのフック９が設けられた吊り下げシャフト８と、ハウジング１内に設けられた回転駆動部２と吊り下げシャフト８との間を係脱自在に連結する機構であって、負荷が許容トルク及び許容荷重を越えると連結が外れるクラッチ連結機構３と、ハウジング１の上面に設けられ且つ照明用ダクトレール１００の室内灯用コンセント１１０に装着可能な差し込みプラグ４とを有する構成となっている。【選択図】  図１
2008073080.tif 000002
【特許請求の範囲】
【請求項１】
室内の天井に吊り下げ可能なハウジングと、ハウジングに設けられた回転駆動部と、ハウジングに垂下して配置され且つ下端部に物干しハンガーを引っ掛けるためのフックが設けられた吊り下げシャフトと、回転駆動部と吊り下げシャフトとの間を係脱自在に連結する機構であって、負荷が許容トルク又は許容荷重を越えると連結が外れるクラッチ連結機構とを備えていることを特徴とする吊り下げ式回転物干し。
【請求項２】
請求項１記載の吊り下げ式回転物干しにおいて、前記クラッチ連結機構は、負荷が許容荷重を越えると吊り下げシャフトが抜けて脱落する構成になっていることを特徴とする吊り下げ式回転物干し。
【請求項３】
請求項２記載の吊り下げ式回転物干しにおいて、前記クラッチ連結機構は、前記回転駆動部の出力軸に連結され且つ負荷が少なくとも許容トルクを越えると係脱するクラッチ部と、クラッチ部と前記吊り下げシャフトとの間を連結する連結部とを有しており、連結部は、クラッチ部の出力側にブッシュが接続され、前記吊り下げシャフトの上端部が前記ブッシュに挿入して保持される構成となっていることを特徴とする吊り下げ式回転物干し。
【請求項４】
請求項１記載の吊り下げ式回転物干しにおいて、前記吊り下げシャフトが伸縮自在であることを特徴とする吊り下げ式回転物干し。
【請求項５】
請求項１記載の吊り下げ式回転物干しにおいて、前記回転駆動部の駆動時間又は駆動パターンを設定するためのタイマ手段が備えられていることを特徴とする吊り下げ式回転物干し。
【請求項６】
請求項５記載の吊り下げ式回転物干しにおいて、前記タイマ手段はスイッチ又は遠隔コントロールにより設定可能であることを特徴とする吊り下げ式回転物干し。
【請求項７】
前記タイマ手段はスイッチにより設定可能である場合の請求項６記載の吊り下げ式回転物干しにおいて、前記ハウジングには前記スイッチを操作するための操作ロッドが吊り下げシャフト及び物干しハンガーに接触しないように垂下して設けられていることを特徴とする吊り下げ式回転物干し。
【請求項８】
請求項１記載の吊り下げ式回転物干しにおいて、前記ハウジンクの上側には天井に設置された室内灯用コンセントに装着可能な差し込みプラグが設けられていることを特徴とする吊り下げ式回転物干し。
【発明の詳細な説明】
【技術分野】
【０００１】
本発明は室内で洗濯物を乾燥させる際に使用される吊り下げ式回転物干しに関する。
【背景技術】
【０００２】
従来、物干し器としては、脚部に支柱を立設し、この支柱の上端部に回転軸を回転可能に装着し、この回転軸の外周に複数の吊り下げ具を放射状に突設したものが知られている。
【０００３】
このような物干し器を改良したものとして、屋外の風で自然と回転するようにした風力回転式物干しが既に出願されている（例えば、特許文献１等）。
【特許文献１】特開２００６−１９２２０５号公報（第１乃至第４頁  第１図）
【発明の開示】
【発明が解決しようとする課題】
【０００４】
しかしながら、上記従来例による場合、風が吹かない室内において使用することは不可能である。だからと言って、モーターにより吊り下げ具を回転駆動させるように設計変更すると、幼児や子供が触れて怪我をする虞れがあり、安全の面で問題がある。また、洗濯物を乾燥させることから、設置に大きなスペースが必要になることが多く、不使用時に邪魔になるという別の問題もある。
【０００５】
本発明は上記した背景の下で創作されたものであって、その目的とするところは、安全性が高く、スペースも問題にならない吊り下げ式回転物干しを提供することにある。
【課題を解決するための手段】
【０００６】
本発明の吊り下げ式回転物干しは、室内の天井に吊り下げ可能なハウジングと、ハウジングに設けられた回転駆動部と、ハウジングに垂下して配置され且つ下端部に物干しハンガーを引っ掛けるためのフックが設けられた吊り下げシャフトと、回転駆動部と吊り下げシャフトとの間を係脱自在に連結する機構であって、負荷が許容トルク又は許容荷重を越えると連結が外れるクラッチ連結機構とを備えていることを特徴としている。
【０００７】
クラッチ連結機構に関しては、負荷が許容荷重を越えると吊り下げシャフトが抜けて脱落する構成のものが望ましい。具体的には、前記回転駆動部の出力軸に連結され且つ負荷が少なくとも許容トルクを越えると係脱するクラッチ部と、クラッチ部と前記吊り下げシャフトとの間を連結する連結部とを有しており、連結部は、クラッチ部の出力側にブッシュが接続され、前記吊り下げシャフトの上端部が前記ブッシュに挿入して保持される構成にすると良い。
【０００８】
吊り下げシャフトに関しては、伸縮自在なものが望ましい。
【０００９】
好ましくは、回転駆動部の駆動時間又は駆動パターンを設定するためのタイマ手段を構成として付加すると良い。この場合、タイマ手段については、スイッチ又は遠隔コントロールにより設定可能であることが望ましい。特に、タイマ手段がスイッチにより設定可能である場合、ハウジングにはスイッチを操作するための操作ロッドが吊り下げシャフト及び物干しハンガーに接触しないように垂下して設けるようにすると良い。
【００１０】
好ましくは、ハウジンクの上側には天井に設置された室内灯用コンセントに装着可能な差し込みプラグが設けらようにすると良い。
【発明の効果】
【００１１】
上記した本発明の請求項１に係る吊り下げ式回転物干しによる場合、室内の天井に吊り下げ可能であり且つ物干しハンガーが回転駆動する構成となっているので、室内であっても洗濯物を乾燥させることが可能であり、床がフリーな空間となることから、邪魔になることが少ない。しかも負荷が許容トルク又は許容荷重を越えると、モーターと吊り下げシャフトとの連結が外れることから、幼児や子供にとっても安全となる。
【００１２】
本発明の請求項２に係る吊り下げ式回転物干しによる場合、負荷が許容荷重を越えると、吊り下げシャフトが抜けて脱落する構成となっているので、幼児や子供が物干しハンガー等を掴んで遊んでも大きな怪我を引き起こすことが殆どなく、安全面で一層優れている。
【００１３】
本発明の請求項３に係る吊り下げ式回転物干しによる場合、クラッチ連結機構としてブッシュを用いて構成されているので、同機構の構成が非常に簡単になり、これに伴って低コスト化を図ることが可能になる。
【００１４】
本発明の請求項４に係る吊り下げ式回転物干しによる場合、吊り下げシャフトが伸縮自在である構成となっているので、フックの高さを必要に応じて調整することができ、スペースや安全性の面でも優れている。
【００１５】
本発明の請求項５及び６に係る吊り下げ式回転物干しによる場合、回転駆動部の駆動時間又は駆動パターンを設定するためのタイマ手段を備えた構成となっているので、便利であり、使い勝手が良くなる。
【００１６】
本発明の請求項７に係る吊り下げ式回転物干しによる場合、タイマ手段の設定時間が操作ロッドを通じて調整可能である構成となっているので、高い位置に配置されたスイッチを直接に操作する必要がなく、この点で操作性が良い。
【００１７】
本発明の請求項８に係る吊り下げ式回転物干しによる場合、室内灯用コンセントに装着可能な差し込みプラグを有する構成となっているので、室内灯用コンセントに装着するだけで、電気配線が行われるだけでなく、天井に取り付けられる。即ち、取り付け作業が簡単であり、この点で使い勝手が良い。
【発明を実施するための最良の形態】
【００１８】
以下、本発明に係る吊り下げ式回転物干しの実施の形態について図面を用いて詳細に説明する。図１は吊り下げ式回転物干しの外観図、図２は内部機構を示す模式構成図、図３はクラッチ連結機構の連結部の各種例を示す模式断面図である。
【００１９】
ここに掲げる吊り下げ式回転者干しは、室内の天井に取り付けられた照明用ダクトレール１００に装着可能な家庭用電気器具であって、天井に吊り下げ可能なハウジング１と、ハウジング１内に設けられたモータである回転駆動部２と、ハウジング１の下面に垂下して配置され且つ下端部に物干しハンガー１０を引っ掛けるためのフック９が設けられた吊り下げシャフト８と、ハウジング１内に設けられた回転駆動部２と吊り下げシャフト８との間を係脱自在に連結する機構であって、負荷が許容トルク及び許容荷重を越えると連結が外れるクラッチ連結機構３と、ハウジング１の上面に設けられ且つ照明用ダクトレール１００の室内灯用コンセント１１０に装着可能な差し込みプラグ４とを有する構成となっている。
【００２０】
ハウジング１内には、回転駆動部２及びクラッチ連結機構３等を収容する駆動ボックス２０及び連結ボックス３０が設けられている。駆動ボックス２０の上面には差し込みプラグ４が取り付けられている。連結ボックス３０には、回転駆動部２の駆動時間又は駆動パターンを設定するためのタイマ手段１１が設置されている。
【００２１】
ハウジング１の下面には、タイマ手段１１のスイッチの設定を行う操作ロット１２が吊り下げシャフト８に平行に垂下して設けられている。この操作ロッド１２の長さは、フック９に至らない程度の短い長さとしており、物干しハンガー１０が回転しても干渉しないように構成されている。また、操作ロッド１２の先端には把持部１３を設けている。
【００２２】
そのため、フック９に物干しハンガー１０を吊り下げた後で、把持部１３を把持して操作ロッド１２を所定角度回転させて、タイマ手段１１のスイッチを操作し、所望の回転時間又は駆動パターンを設定することができる。
【００２３】
クラッチ連結機構３は、回転駆動部２の出力軸２１に連結され且つ負荷が許容トルク及び第１の許容荷重を越えると係脱するクラッチ部５と、クラッチ部５の吊り下げシャフト８との間を連結する連結部７とを有している。連結部７は、クラッチ部５の出力側である連結シャフト６にシャフトブッシュ７１が連結され、負荷が第２の許容荷重を越えると吊り下げシャフト８が抜けて脱落するように、吊り下げシャフト８の上端部８１がシャフトブッシュ７１に挿入・保持される構成となっている。
【００２４】
クラッチ部５は、回転駆動部２の出力軸２１と接続されるクラッチホルダ５１と、クラッチホルダ５１と接離自在なクラッチ板５２と、クラッチ板５２をクラッチホルダ５１に当接するように付勢するスプリング５３とを備えている。
【００２５】
スプリング５３は、駆動ボックス２０の底板２３とクラッチ板５２との間に設けられ、クラッチ板５２に下垂されるように連結され、吊り下げシャフト８を連結する連結シャフト６に嵌装されている。
【００２６】
そのため、クラッチ部５は、クラッチホルダ５１とクラッチ板５２とを、所定の付勢力を有するスプリング５３を介して係合離脱するクラッチであり、回転を妨げるような外力の負荷やクラッチ部５を引き離すような外力の負荷が作用すると、クラッチ部５が離脱するようになっている。そのため、スプリング５３によって予め定められている第１の許容荷重以上の荷重が負荷されると、前記付勢力に抗して離脱して、回転駆動部２の回転を吊り下げシャフト８に伝達しないようになっている。
【００２７】
クラッチホルダ５１とクラッチ板５２との係合方法は、互いの当接面を押圧して摩擦接合するフリクション式であっても、複数のピン部材が相手の孔部に接合するピン接合式であっても良く、クラッチホルダ５１とクラッチ板５２とが所定間隔離反したときに、回転力を伝達しない構成であれば良い。
【００２８】
上記のように、クラッチホルダ５１とクラッチ板５２とが所定間隔離反したとき、つまり予め定められる第１の許容荷重以上の吊り下げ荷重が負荷されると、前記スプリング５３の付勢力に抗して、クラッチホルダ５１とクラッチ板５２とが離脱する構成とされている。
【００２９】
連結シャフト６と吊り下げシャフト８とは連結部７を介して連結されている。この際に連結部７として、連結シャフト６に固着されるシャフトブッシュ７１に、吊り下げシャフト８の上端部８１を差し込む構成としている。シャフトブッシュ７１は樹脂製の軸状体であって、その下側の中心部に吊り下げシャフト８の上端部８１がはめ込みされる穴が形成されている（図３（ａ）参照）。シャフトブッシュ７１は連結ボックス３０の底板３１を貫通している。
【００３０】
このように吊り下げシャフト８を単にシャフトブッシュ７１に差し込んで装着する構成としているので、許容荷重以上の力が作用すると、その力で吊り下げシャフト８が引き抜かれ、幼児や小さな子供のいる家庭で使用する吊り下げ式回転物干しとして好適である。
【００３１】
ここでは第１の許容荷重と第２の許容荷重とは同程度に設定されている。吊り下げシャフト８が外れる第２の許容荷重をクラッチ部５が離脱する第１の許容荷重とは別に定めることができることから、さらに安全性を高めることができる。特に、第２の許容荷重を第１の許容荷重より小さく設定することにより、比較的低体重の幼児がぶら下がろうとしても、その軽い荷重負荷でも吊り下げシャフト８を離脱させて、幼児にとって安全であると共に物干しの破損を防止することができる。
【００３２】
また、上記したシャフトブッシュ７１に替えて、図３（ｂ）に示すように傘状凹部を有するゴムブッシュ７２、図３（ｃ）に示すようなコイルスプリングを内装したスプリングブッシュ７３を使用するようにしても良い。
【００３３】
ゴムブッシュ７２を用いた例では、吊り下げシャフト８の上端部８２に上下２段の傘状凸部が形成され、ゴムブッシュ７２の下面中央部に形成された傘状凹部に挿入して係合されるようになっている。スプリングブッシュ７３を用いた例では、吊り下げシャフト８の上端部８３の外周面にスプリングピッチに応じた雄ねじを形成し、スプリングブッシュ７３の下面中央部に形成され且つスプリングが内装された穴に挿入して係合されるようになっている。
【００３４】
例えばゴムブッシュ型であれば、ゴムブッシュの硬さやゴムブッシュと吊り下げシャフトとの嵌合具合を調整することにより第２の許容荷重を調整することができる。また、スプリングブッシュ型であれば、コイルスプリングの線径を変えることにより第２の許容荷重を調整することができる。
【００３５】
例えば、天井に設置される室内灯用コンセント１１０に吊り下げ可能な吊り下げ荷重が２０Ｋｇ程度で、本発明に係る吊り下げ式回転物干しの重量が５Ｋｇで、第１の許容荷重を１０Ｋｇとしておけば、あと５Ｋｇの吊り下げ荷重まで付加することが可能となる。そのために、第２の許容荷重を１０Ｋｇ程度としておけば、吊り下げ荷重の総量が１０Ｋｇに洗濯物を吊り下げることができる。
【００３６】
また、この際に、第２の許容荷重を５Ｋｇ程度としておけば、吊り下げ荷重の総量が５Ｋｇになるまでしか洗濯物を吊り下げることができないが、クラッチ部５が作用する前に確実に連結部７が離脱することになり、小さな子供が急にぶら下がったりして急激な負荷が作用しても、クラッチ部５に負荷が伝達されず、回転駆動部２が破損しないので好適である。
【００３７】
なお、クラッチ連結機構３として各種の例について説明したが、回転駆動部２と吊り下げシャフト８との間を係脱自在に連結する機構であって、負荷が許容トルク又は許容荷重を越えると連結が外れる構成であれば良く、特にその構成例について限定するものではない。ただ、本実施の形態で説明した、単純なはめ込み式のシャフトブッシュ７１、傘状の凹凸部のはめ込み式のゴムブッシュ７２、コイルスプリングの縮径、拡径を用いたスプリングブッシュ７３であれば、吊り下げシャフト８の抜け落ちる所定の荷重に設定容易となり好適である。
【００３８】
また、吊り下げシャフト８を上下２本に分割して、中空状の上部シャフト８Ａにフック９を備える下部シャフト８Ｂを挿入自在とし、それらのシャフトを、ロック機能を有する連結手段を介して伸縮自在に連結することも可能である。
【００３９】
この構成であれば、物干しハンガー１０を吊り下げるフック９の高さ位置を自在に調整可能であり、物干しハンガー１０や洗濯物のサイズに応じた適当な高さに設定するこきができる。また、洗濯物を干さない場合には、下部シャフト８Ｂを上に上げておいて、邪魔にならないようにしておくこともできる。
【００４０】
また、タイマ手段については、回転駆動部２の駆動時間又は駆動パターンを設定するための構成であれば、その種類等は問われず、無線等を用いた遠隔コントロールにより設定可能にしてもかまわない。
【００４１】
上記したように、本発明に係る吊り下げ式回転物干しは、室内灯用コンセント１０に装着可能な吊り下げ式回転物干しとしたので、室内でも早く乾かすことができる。さらには、所定以上の吊り下げ荷重等が負荷されると、回転駆動部２の駆動伝達を遮断する吊り下げ式回転物干しとしたので、幼児や子供にとっても安全な吊り下げ式回転物干しを得ることができる。
【００４２】
また、第１の許容荷重と第２の許容荷重とをそれぞれ単独に設定可能としたので、それぞれの家庭事情に応じた適当な荷重を設定し、安全で効率の良い吊り下げ式回転物干しとすることができる。
【図面の簡単な説明】
【００４３】
【図１】本発明に係る吊り下げ式回転物干しの実施の形態を説明するための図であって、吊り下げ式回転物干しの外観図である。
【図２】同吊り下げ式回転物干しの内部機構を示す模式構成図である。
【図３】同吊り下げ式回転物干しのクラッチ連結機構の連結部の各種例を示す模式断面図である。
【符号の説明】
【００４４】
１  ハウジング
２  回転駆動部
８  吊り下げシャフト
３  クラッチ連結機
４  差し込みプラグ
【図１】
2008073080.tif 000003
【図２】
2008073080.tif 000004
【図３】
2008073080.tif 000005